(57)【要約】      （修正有）【課題】コンテンツ等の記録情報の再生を行うユーザを容易に制限し、記録情報の機密性及び秘匿性を高めることが可能であり、且つ、情報記録媒体を、比較的低コストに製造することを可能とする。【解決手段】再生専用領域と、記録可能領域とを有するディスクにおいて、再生専用領域及び記録可能領域は、記録用又は消去用レーザ光が照射されることによって光学特性が可逆変化する記録層を備え、再生専用領域に含まれるマスキング領域（１５０ａ）の第１部分においては、ダミー情報を担持する記録ピット（２０ａ）が、記録用レーザ光の照射によって記録されることによって、少なくとも一部が再生不可能となると共に、記録ピットが、消去用レーザ光の照射によって消去されることによって、記録情報が再生可能となる。【選択図】  図５
2006120248.tif 000002
【特許請求の範囲】
【請求項１】
記録情報の少なくとも一部が、エンボスピットが形成されることによって、予め記録されている再生専用領域と、
前記記録情報の少なくとも他部が、記録用レーザ光の照射により記録可能であると共に消去用レーザ光の照射により消去可能な記録可能領域とを有しており、
前記再生専用領域及び前記記録可能領域は、前記記録用又は前記消去用レーザ光が照射されることによって光学特性が可逆変化する記録層を備え、
前記再生専用領域に含まれるマスキング領域の第１部分においては、第１ダミー情報を担持する第１記録ピットが、前記記録用レーザ光の照射によって記録されることによって、前記少なくとも一部が再生不可能となると共に、前記第１記録ピットが、前記消去用レーザ光の照射によって消去されることによって、前記少なくとも一部が再生可能となることを特徴とする情報記録媒体。
【請求項２】
前記再生専用領域に含まれるマスキング領域の第２部分においては、第２ダミー情報を担持する第２記録ピットが、前記記録用レーザ光の照射によって記録されることによって、前記記録情報の少なくとも残部が再生可能となると共に、前記第２記録ピットが、前記消去用レーザ光の照射によって消去されることによって、前記少なくとも残部が再生不可能となることを特徴とする請求項１に記載の情報記録媒体。
【請求項３】
記録情報の少なくとも一部が、エンボスピットが形成されることによって、予め記録されている再生専用領域を有しており、
前記再生専用領域は、記録用又は消去用レーザ光が照射されることによって光学特性が可逆変化する記録層を備え、
前記再生専用領域に含まれるマスキング領域の一部分においては、ダミー情報を担持する記録ピットが、前記記録用レーザ光の照射によって記録されることによって、前記少なくとも一部が再生可能となると共に、前記記録ピットが、前記消去用レーザ光の照射によって消去されることによって、前記少なくとも一部が再生不可能となることを特徴とする情報記録媒体。
【請求項４】
前記記録可能領域は、前記記録情報の再生又は記録を制御する制御情報を記録可能な制御情報記録領域を含み、
前記少なくとも他部は、前記制御情報であることを特徴とする請求項１又は３に記載の情報記録媒体。
【請求項５】
前記制御情報記録領域においては、前記マスキング領域が存在するか否かを示す第１フラグ情報が記録されていることを特徴とする請求項４に記載の情報記録媒体。
【請求項６】
前記制御情報記録領域においては、前記マスキング領域の開始位置を示す開始アドレス、及び、終了位置を示す終了アドレスを示す一のアドレステーブルが記録されていることを特徴とする請求項５に記載の情報記録媒体。
【請求項７】
前記再生専用領域は、複数のマスキング領域を有し、
前記複数のマスキング領域には、識別情報が夫々付与されており、
前記制御情報記録領域においては、前記複数のマスキング領域の個数、及び、前記識別情報の少なくとも一方が記録されていることを特徴とする請求項５に記載の情報記録媒体。
【請求項８】
前記制御情報記録領域においては、前記複数のマスキング領域の識別情報に夫々対応して、該マスキング領域の開始位置を示す開始アドレス、及び、終了位置を示す終了アドレスを示す他のアドレステーブルが記録されていることを特徴とする請求項７に記載の情報記録媒体。
【請求項９】
前記アドレステーブルが暗号化キーによって暗号化されていることを特徴とする請求項６又は８に記載の情報記録媒体。
【請求項１０】
前記記録情報は、再生制御情報を含み、
前記再生制御情報は、前記暗号化キーに対応する復号化キーを含むことを特徴とする請求項９に記載の情報記録媒体。
【請求項１１】
前記再生専用領域のみを有す再生専用型情報記録媒体であるか否かを示す第２フラグ情報が、前記制御情報記録領域に記録されていることを特徴とする請求項４に記載の情報記録媒体。
【請求項１２】
請求項１から１１のいずれか一項に記載の情報記録媒体に記録する情報記録装置であって、
前記記録情報を記録する記録手段と、
前記マスキング領域の第１部分において、前記第１記録ピットを、前記記録用レーザ光の照射によって記録するように前記記録手段を制御するマスキング処理手段と、
前記第１記録ピットを、前記消去用レーザ光の照射によって消去するように前記記録手段を制御するマスキング解除処理手段と
を備えることを特徴とする情報記録装置。
【請求項１３】
前記制御情報記録領域から前記第１フラグ情報及び前記アドレステーブルのうち少なくとも一方を取得する取得手段と、
前記取得された第１フラグ情報を識別する識別手段と、
前記識別された第１フラグ情報が、前記マスキング領域が存在することを示す場合、
前記マスキング処理手段及び前記マスキング解除処理手段は、前記取得されたアドレステーブルに基づいて、前記記録手段を制御することを特徴とする請求項１２に記載の情報記録装置。
【請求項１４】
前記取得手段は、前記制御情報記録領域に加えて又は代えて外部ネットワークから前記少なくとも一方を取得することを特徴とする請求項１３に記載の情報記録装置。
【請求項１５】
前記取得手段は、前記復号化キーを更に取得し、
前記アドレステーブルを、前記取得した復号化キーによって復号化する復号化処理手段を更に備えることを特徴とする請求項１４に記載の情報記録装置。
【請求項１６】
請求項１から１１のいずれか一項に記載の情報記録媒体に前記記録情報を記録する記録手段を備えた情報記録装置における情報記録方法であって、
前記マスキング領域の第１部分において、前記第１記録ピットを、前記記録用レーザ光の照射によって記録するように前記記録手段を制御するマスキング処理工程と、
前記第１記録ピットを、前記消去用レーザ光の照射によって消去するように前記記録手段を制御するマスキング解除処理工程と
を備えることを特徴とする情報記録方法。
【請求項１７】
請求項１２に記載の情報記録装置に備えられたコンピュータを制御する記録制御用のコンピュータプログラムであって、該コンピュータを、前記記録手段、前記マスキング処理手段、及び、前記マスキング解除処理手段のうち少なくとも一部として機能させることを特徴とするコンピュータプログラム。
【発明の詳細な説明】
【技術分野】
【０００１】
本発明は、例えばレーザ光を照射することによって記録及び再生が可能な光ディスク等の情報記録媒体、該情報記録媒体及び方法、並びに、コンピュータプログラムの技術分野に属する。
【背景技術】
【０００２】
２種類の物理的特性を併せ持つハイブリッド型光ディスクが提案されている。詳細には、このハイブリッド型光ディスクは、例えばＣＤ−Ｒ、ＤＶＤ−Ｒ、又は、ＤＶＤ−ＲＷ等の記録型光ディスクと同様の記録可能な記録領域と、例えばＣＤ−ＲＯＭ、ＤＶＤ−ＲＯＭ等の再生専用型光ディスクと同様の再生専用の記録領域とを、一枚の光ディスクの外周寄り領域及び内周寄り領域に分けて併せ持つ情報記録媒体である。
【０００３】
他方で、映画コンテンツ等の記録情報の著作権の保護や、機密性の確保は、一般的に、暗号化キー等の暗号化情報に基づいた暗号化システムによって実現されている。詳細には、この暗号化システムにおいては、暗号化情報は、記録情報と共に、予め記録されていたり、ネットワーク等の外部から取得されたりする。
【０００４】
【特許文献１】特開２００３−２４９０２２号公報
【特許文献２】特開２００２−１４０８２２号公報
【特許文献３】特開２００１−２６６３６２号公報
【特許文献４】特開２０００−３３１４１２号公報
【特許文献５】特開２００１−２２９５４７号公報
【特許文献６】特開２００１−３０７３２９号公報
【特許文献７】特開２００２−２０３３４１号公報
【特許文献８】特開２００２−２５１２０号公報
【特許文献９】特開２００２−４２３４７号公報
【特許文献１０】特開２００２−９２８９１号公報
【発明の開示】
【発明が解決しようとする課題】
【０００５】
しかしながら、ハイブリッド型光ディスクの記録可能な記録領域に対して、該ハイブリッド型光ディスクに固有な暗号化情報の記録を１枚１枚に対して行うのは高コストになってしまうという技術的な問題点もある。
【０００６】
また、当該ハイブリッド型光ディスクを含む記録型光ディスクにおける記録可能な記録領域に対して、再生専用型光ディスクに記録された、例えば暗号化情報を含む全体のコンテンツの複製を、ビット単位の物理的なコピー、所謂、「Ｂｉｔ  ｂｙ  ｂｉｔ方式コピー」によって行う記録機器も存在している。このため、記録情報の著作権を正確に保護することができないという技術的な問題点もある。詳細には、例えば、ＤＶＤ−ＡＲ（Audio Recording）等の記録型光ディスクにおいても、例えば、チェックアウト時等に、複製を行なうことが可能になってしまうという技術的な問題点もある。
【０００７】
本発明は、例えば上述した問題点に鑑みなされたものであり、例えば、コンテンツ等の記録情報の再生を行うユーザを容易に制限し、記録情報の機密性及び秘匿性を高めることが可能であり、且つ、比較的低コストな、例えばハイブリッド型の情報記録媒体を提供することを課題とする。
【課題を解決するための手段】
【０００８】
上記課題を解決するために、請求項１に記載の情報記録媒体は、記録情報（コンテンツ）の少なくとも一部が、エンボスピットが形成されることによって、予め記録されている再生専用領域（ＲＯＭエリア）と、前記記録情報の少なくとも他部が、記録用レーザ光の照射により記録可能であると共に消去用レーザ光の照射により消去可能な記録可能領域（ＲＷエリア）とを有しており、前記再生専用領域及び前記記録可能領域は、前記記録用又は前記消去用レーザ光が照射されることによって光学特性が可逆変化する記録層を備え、前記再生専用領域に含まれるマスキング領域の第１部分においては、第１ダミー情報を担持する第１記録ピットが、前記記録用レーザ光の照射によって記録されることによって（マスキング処理）、前記少なくとも一部が再生不可能となると共に、前記第１記録ピットが、前記消去用レーザ光の照射によって消去されることによって（マスキング解除処理）、前記少なくとも一部が再生可能となる。
【０００９】
上記課題を解決するために、請求項３に記載の情報記録媒体は、記録情報（コンテンツ）の少なくとも一部が、エンボスピットが形成されることによって、予め記録されている再生専用領域（ＲＯＭエリア）を有しており、前記再生専用領域は、記録用又は消去用レーザ光が照射されることによって光学特性が可逆変化する記録層を備え、前記再生専用領域に含まれるマスキング領域の一部分においては、ダミー情報を担持する記録ピットが、前記記録用レーザ光の照射によって記録されることによって、前記少なくとも一部が再生可能となると共に、前記記録ピットが、前記消去用レーザ光の照射によって消去されることによって、前記少なくとも一部が再生不可能となる。
【００１０】
上記課題を解決するために、請求項１２に記載の情報記録装置は、請求項１から１１のいずれか一項に記載の情報記録媒体に記録する情報記録装置であって、前記記録情報を記録する記録手段と、前記マスキング領域の第１部分において、前記第１記録ピットを、前記記録用レーザ光の照射によって記録するように前記記録手段を制御するマスキング処理手段と、前記第１記録ピットを、前記消去用レーザ光の照射によって消去するように前記記録手段を制御するマスキング解除処理手段とを備える。
【００１１】
上記課題を解決するために、請求項１６に記載の情報記録方法は、請求項１から１１のいずれか一項に記載の情報記録媒体に前記記録情報を記録する記録手段を備えた情報記録装置における情報記録方法であって、前記マスキング領域の第１部分において、前記第１記録ピットを、前記記録用レーザ光の照射によって記録するように前記記録手段を制御するマスキング処理工程と、前記第１記録ピットを、前記消去用レーザ光の照射によって消去するように前記記録手段を制御するマスキング解除処理工程とを備える。
【００１２】
上記課題を解決するために、請求項１７に記載のコンピュータプログラムは、請求項１２に記載の情報記録装置に備えられたコンピュータを制御する記録制御用のコンピュータプログラムであって、該コンピュータを、前記記録手段、前記マスキング処理手段、及び、前記マスキング解除処理手段のうち少なくとも一部として機能させる。
【００１３】
本発明の作用及び利得は次に説明する実施の形態から明らかにされる。
【発明を実施するための最良の形態】
【００１４】
以下、本発明の実施形態に係る情報記録媒体について説明する。
【００１５】
（情報記録媒体の実施形態）
本発明の情報記録媒体に係る第１実施形態は、記録情報（コンテンツ）の少なくとも一部が、エンボスピットが形成されることによって、予め記録されている再生専用領域（ＲＯＭエリア）と、前記記録情報の少なくとも他部が、記録用レーザ光の照射により記録可能であると共に消去用レーザ光の照射により消去可能な記録可能領域（ＲＷエリア）とを有しており、前記再生専用領域及び前記記録可能領域は、前記記録用又は前記消去用レーザ光が照射されることによって光学特性が可逆変化する記録層を備え、前記再生専用領域に含まれるマスキング領域の第１部分においては、第１ダミー情報を担持する第１記録ピットが、前記記録用レーザ光の照射によって記録されることによって（マスキング処理）、前記少なくとも一部が再生不可能となると共に、前記第１記録ピットが、前記消去用レーザ光の照射によって消去されることによって（マスキング解除処理）、前記少なくとも一部が再生可能となる。
【００１６】
本発明の情報記録媒体に係る第１実施形態によれば、再生専用領域において、例えば、映画コンテンツ等の記録情報の少なくとも一部を、例えば、インジェクションモールド等の方法によってエンボスピットが形成されることで、低コストで記録することが可能である。と同時に、記録領域の全面、即ち、再生専用領域及び記録可能領域においては、その製造工程上、相変化膜が、スパッタリングされている。詳細には、記録可能領域とは、消去可能な記録ピットを書き込むことが可能な記録領域のことである。
【００１７】
特に、本実施形態によれば、再生専用領域に含まれるマスキング領域の第１部分においては、第１ダミー情報を担持する第１記録ピットが、記録用レーザ光の照射によって記録されることによって、記録情報の一部が再生不可能となる。ここに、「第１ダミー情報を担持する第１記録ピット」とは、所定長さの第１部分において、エンボスピットと同期して、或いは、非同期でランダムに、記録用レーザ光が、相変化膜に照射される、所定長さの記録ピットである。この第１記録ピットによって、エンボスピットに記録された記録情報を再生不可能とさせる、謂わば、マスキングする（隠ぺいする）ことが可能となる。他方、この第１記録ピットが、消去用レーザ光の照射によって消去されることによって、この一部が再生可能となる。即ち、エンボスピットに重畳されて記録されている第１記録ピットだけが消去されるので、エンボスピットに記録された記録情報を再生可能とさせる、謂わば、マスキングを解除する（隠ぺいを解除する）ことが可能となる。
【００１８】
仮に、上述したマスキングを行わないで記録情報の再生に制限を掛けるために、例えばハイブリッド型の情報記録媒体の記録可能な記録領域に対して、該ハイブリッド型の情報記録媒体に固有な暗号化情報の記録を１枚１枚に対して行うのは高コストになってしまう。
【００１９】
これに対して、本実施形態によれば、所定長さの第１部分において、第１記録ピットの記録によって、エンボスピットに記録された記録情報を再生不可能とさせる、謂わば、マスキングすることが可能となる。他方、エンボスピットに重畳されて記録されている第１記録ピットの消去によって、エンボスピットに記録された記録情報を再生可能とさせる、謂わば、マスキング解除することが可能となる。このように、例えばハイブリッド型の情報記録媒体の再生専用領域に対して、後述される情報記録装置の位置制御に基づいて、記録用又は消去用レーザ光の照射を行うだけで、低コストで、記録情報の再生に制限を掛けることが可能となる。尚、記録可能領域（ＲＷエリア）において、記録情報の少なくとも他部として、暗号化情報が、記録されているように構成されていてもよい。
【００２０】
また、一般に、例えばハイブリッド型の情報記録媒体を含む記録型情報記録媒体における記録可能な記録領域に対して、再生専用型光ディスクに記録された、例えば暗号化情報を含む全体のコンテンツの複製を、ビット単位の物理的なコピーによって行う記録機器も存在している。このため、上述したマスキングを行わない場合、記録情報の著作権を正確に保護することができなってしまう。
【００２１】
これに対して、本実施形態によれば、前述のようにマスキングされた記録情報が、例えば、前記のような記録機器における、チャネルデータをそのままの単位で読み出され、即ち、ＲＡＷモードによって読み出され、例えば、ＤＶＤ−ＲＷ等の記録型情報記録媒体へ、ビット単位の物理的なコピーが行われた場合、第１記録ピットを除く、エンボスピットに記録された記録情報だけを取捨選択的にコピーすることはできない。よって、このようにコピーが行われた記録型情報記録媒体が正常に再生されることは殆ど又は完全にないと言える。
【００２２】
以上より、本発明の情報記録媒体に係る第１実施形態によれば、例えば、コンテンツ等の記録情報の機密性及び秘匿性を高めることが可能であり、且つ、比較的低コストで製造することが可能となる。詳細には、記録情報として映画等の情報量の大きいコンテンツをスタンパによって、一挙に再生専用領域に記録できるので、情報記録媒体１枚当りの作成時間を短縮させ、生産性を向上させることが可能である。
【００２３】
本発明の情報記録媒体に係る第１実施形態の一態様では、前記再生専用領域に含まれるマスキング領域の第２部分においては、第２ダミー情報を担持する第２記録ピットが、前記記録用レーザ光の照射によって記録されることによって、前記記録情報（コンテンツ）の少なくとも残部が再生可能となると共に、前記第２記録ピットが、前記消去用レーザ光の照射によって消去されることによって、前記少なくとも残部が再生不可能となる。
【００２４】
この態様によれば、再生専用領域に含まれるマスキング領域の第２部分においては、第２ダミー情報を担持する第２記録ピットが、記録用レーザ光の照射によって記録されることによって、記録情報の残部が再生可能となる。ここに、「第２ダミー情報を担持する第２記録ピット」とは、所定長さの第２部分において、エンボスピットと同期して、記録用レーザ光が、相変化膜に照射される、所定長さの記録ピットである。この第２記録ピットによって、エンボスピットに記録された記録情報を補完し、再生可能とさせる、謂わば、マスキングを解除することが可能となる。他方、この第２記録ピットが、消去用レーザ光の照射によって消去されることによって、この残部が再生不可能となる。即ち、エンボスピットと同期して記録され、残部を再生可能とさせている第２記録ピットが消去されるので、エンボスピット及び第２記録ピットの両者によって記録されている記録情報を再生不可能とさせる、謂わば、マスキングすることが可能となる。
【００２５】
本発明の情報記録媒体に係る第２実施形態は、記録情報（コンテンツ）の少なくとも一部が、エンボスピットが形成されることによって、予め記録されている再生専用領域（ＲＯＭエリア）を有しており、前記再生専用領域は、記録用又は消去用レーザ光が照射されることによって光学特性が可逆変化する記録層を備え、前記再生専用領域に含まれるマスキング領域の一部分においては、ダミー情報を担持する記録ピットが、前記記録用レーザ光の照射によって記録されることによって、前記少なくとも一部が再生可能となると共に、前記記録ピットが、前記消去用レーザ光の照射によって消去されることによって、前記少なくとも一部が再生不可能となる。
【００２６】
本発明の情報記録媒体に係る第２実施形態によれば、その物理的構成は、前述した本発明の情報記録媒体に係る第１実施形態と概ね同様である。
【００２７】
特に、再生専用領域に含まれるマスキング領域の一部分においては、ダミー情報を担持する記録ピットが、記録用レーザ光の照射によって記録されることによって、記録情報の一部が再生可能となる。ここに、「ダミー情報を担持する記録ピット」とは、所定長さの一部分において、エンボスピットと同期して、記録用レーザ光が、相変化膜に照射される、所定長さの記録ピットである。この記録ピットによって、エンボスピットに記録された記録情報を補完し、再生可能とさせる、謂わば、マスキングを解除することが可能となる。他方、この記録ピットが、消去用レーザ光の照射によって消去されることによって、この一部が再生不可能となる。即ち、エンボスピットと同期して記録され、一部を再生可能とさせている記録ピットが消去されるので、エンボスピット及び記録ピットの両者によって記録されている記録情報を再生不可能とさせる、謂わば、マスキングすることが可能となる。
【００２８】
本発明の情報記録媒体に係る第１及び第２実施形態の他の態様では、前記記録可能領域は、前記記録情報の再生又は記録を制御する制御情報を記録可能な制御情報記録領域（コントロールデータゾーン）を含み、前記少なくとも他部は、前記制御情報である。
【００２９】
この態様によれば、制御情報を記録可能な、例えば、コントロールデータゾーン等の制御情報記録領域は、記録可能領域（ＲＷエリア）として形成されている。従って、例えば、悪意あるユーザが、後述される情報記録装置による消去用レーザ光の記録領域の全体への照射によって、マスキングの解除を試みた場合、制御情報が、消去用レーザ光の照射により消去されてしまう。
【００３０】
その結果、記録情報の少なくとも一部が、正規のマスキング解除に基づかずに再生されるのを未然に防止することが可能となる。
【００３１】
更に、加えて、制御情報は、再生回数を制限するために、例えば、マスキングの解除回数を示す情報を含むように構成してもよい。よって、後述される情報記録再生装置によって、再生又は記録回数を制限することも可能となる。
【００３２】
この制御情報記録領域の態様では、前記制御情報記録領域（コントロールデータゾーン）においては、前記マスキング領域が存在するか否かを示す第１フラグ情報が記録されているように構成してもよい。
【００３３】
このように構成すれば、後述される情報記録装置によって、例えば、シーク動作等の初期動作により、各種制御及び管理情報と同時に、又は、相前後して、第１フラグ情報が取得される。よって、情報記録装置によって、マスキング及びマスキングの解除が、より迅速且つ的確に行われることが可能となる。
【００３４】
この制御情報記録領域に係る態様では、前記制御情報記録領域（コントロールデータゾーン）においては、前記マスキング領域の開始位置を示す開始アドレス、及び、終了位置を示す終了アドレスを示す一のアドレステーブルが記録されているように構成してもよい。
【００３５】
このように構成すれば、後述される情報記録装置によって、例えば、シーク動作等の初期動作により、各種制御及び管理情報と同時に、又は、相前後して、一のアドレステーブルが取得される。よって、情報記録装置によって、マスキング及びマスキングの解除が、より迅速且つ的確に行われることが可能となる。
【００３６】
この制御情報記録領域に係る態様では、前記再生専用領域は、複数のマスキング領域を有し、前記複数のマスキング領域には、識別情報が夫々付与されており、前記制御情報記録領域（コントロールデータゾーン）においては、前記複数のマスキング領域の個数、及び、前記識別情報の少なくとも一方が記録されているように構成してもよい。
【００３７】
このように構成すれば、識別情報によって識別される複数のマスキング領域が形成されることによって、記録情報の種類や再生順序等に対応した、より応用性の高い例えばハイブリッド型の情報記録媒体を提供することが可能となる。
【００３８】
また、後述される情報記録装置によって、例えば、シーク動作等の初期動作により、各種制御及び管理情報と同時に、又は、相前後して、マスキング領域の個数、及び、前記識別情報の少なくとも一方が取得される。よって、情報記録装置によって、マスキング及びマスキングの解除が、より迅速且つ的確に行われることが可能となる。
【００３９】
更に、この制御情報記録領域に係る態様では、前記制御情報記録領域（コントロールデータゾーン）においては、前記複数のマスキング領域の識別情報に夫々対応して、該マスキング領域の開始位置を示す開始アドレス、及び、終了位置を示す終了アドレスを示す他のアドレステーブルが記録されているように構成してもよい。
【００４０】
このように構成すれば、後述される情報記録装置によって、例えば、シーク動作等の初期動作により、各種制御及び管理情報と同時に、又は、相前後して、他のアドレステーブルが取得される。よって、情報記録装置によって、マスキング及びマスキングの解除が、より迅速且つ的確に行われることが可能となる。
【００４１】
更に、このアドレステーブルに係る態様では、前記アドレステーブルが暗号化キーによって暗号化されているように構成してもよい。
【００４２】
このように構成すれば、アドレステーブルが暗号化されていることによって、記録情報の再生により高度な制限を掛けることが可能となる。よって、記録情報の機密性及び秘匿性をより高めることが可能である。尚、暗号化キー、及び、この暗号化キーに対応される復号化キーは、例えば、制御情報記録領域や、外部ネットワーク等から取得されるように構成してもよい。
【００４３】
更に、この暗号化キーに係る態様では、前記記録情報は、再生制御情報（ファイルシステム、ＰＧＣ）を含み、前記再生制御情報は、前記暗号化キーに対応する復号化キーを含むように構成してもよい。
【００４４】
このように構成すれば、例えば、ゲームコンテンツ等の記録情報は、例えば、ファイルシステムやＰＧＣ等の再生制御情報を含む。よって、例えば、ゲームにおいて、ユーザが、所定の点数以上の点数を獲得した場合に、再生制御情報に含まれる復号化キーによって、アドレステーブルが復号化され、後述される情報記録再生装置によって、アドレステーブルが取得される。そして、マスキングが解除され、例えば、次のステージの記録情報の再生が可能となる。
【００４５】
以上より、より応用性の高いアプリケーションを含んだ記録情報を、該記録情報の機密性及び秘匿性を高めつつ、例えばハイブリッド型の情報記録媒体に記録することが可能となる。
【００４６】
この制御情報記録領域に係る態様では、前記再生専用領域（ＲＯＭエリア）のみを有す再生専用型情報記録媒体であるか否かを示す第２フラグ情報が、前記制御情報記録領域に記録されているように構成してもよい。
【００４７】
このように構成すれば、第２フラグ情報によって、再生専用型情報記録媒体ではないことが示されることによって、例えば、ＤＶＤプレーヤー等の再生専用型情報再生装置では、例えばハイブリッド型の情報記録媒体を再生できないようにすることが可能となる。
【００４８】
その結果、映画コンテンツ等の記録情報の著作権の保護をより実現可能である。
【００４９】
本発明の情報記録装置に係る実施形態は、上述した本発明の情報記録媒体に係る実施形態（但し、その各種態様を含む）に記録する情報記録装置であって、前記記録情報を記録する記録手段と、前記マスキング領域の第１部分において、前記第１記録ピットを、前記記録用レーザ光の照射によって記録するように前記記録手段を制御するマスキング処理手段と、前記第１記録ピットを、前記消去用レーザ光の照射によって消去するように前記記録手段を制御するマスキング解除処理手段とを備える。
【００５０】
本発明の情報記録装置に係る実施形態によれば、マスキング処理手段の制御下で、例えば、シーク動作等の初期動作により、各種制御及び管理情報と同時に、又は、相前後して、所定長さの第１部分の位置情報が取得されると共に、記録情報のマスキングを行なうために、記録手段による記録用レーザ光の照射によって、第１ピットが記録される。他方、記録情報のマスキングの解除を行なうために、記録手段による消去用レーザ光の照射によって、第１ピットが消去される。
【００５１】
以上より、本実施形態によれば、マスキング及びマスキングの解除が、より迅速且つ的確に行われることが可能となる。
【００５２】
その結果、本実施形態によれば、前述した本発明の情報記録媒体に記録された記録情報の再生、及び、記録可能な記録情報の記録を行なうユーザに対して、比較的容易に制限をかけることが可能となる。
【００５３】
尚、上述した本発明の情報記録媒体に係る第１及び第２実施形態が有する各種態様に対応して、本発明の情報記録装置に係る実施形態も各種態様を採ることが可能である。
【００５４】
本発明の情報記録装置に係る実施形態の一の態様は、前記制御情報記録領域から前記第１フラグ情報及び前記アドレステーブルのうち少なくとも一方を取得する取得手段と、前記取得された第１フラグ情報を識別する識別手段と、前記識別された第１フラグ情報が、前記マスキング領域が存在することを示す場合、前記マスキング処理手段及び前記マスキング解除処理手段は、前記取得されたアドレステーブルに基づいて、前記記録手段を制御する。
【００５５】
この態様によれば、取得手段によって、第１フラグ情報、並びに、マスキング領域の開始位置を示す開始アドレス、及び、終了位置を示す終了アドレスを示すアドレステーブルが取得される。識別手段によって、第１フラグ情報が識別される。そして、マスキング領域が存在すると識別された場合に、マスキング処理手段及びマスキング解除処理手段の制御下で、アドレステーブルに基づいて、マスキング及びマスキングの解除が行われる。
【００５６】
その結果、マスキング及びマスキングの解除が、より迅速且つ的確に行われることが可能となる。
【００５７】
本発明の情報記録装置に係る実施形態の他の態様は、前記取得手段は、前記制御情報記録領域に加えて又は代えて外部ネットワークから前記少なくとも一方を取得する。
【００５８】
この態様によれば、より応用性の高いアプリケーションを含んだ記録情報が記録された、例えばハイブリッド型の情報記録媒体に対して、マスキング及びマスキングの解除を、より迅速且つ的確に行うことが可能となる。
【００５９】
本発明の情報記録装置に係る実施形態の他の態様は、前記取得手段は、前記復号化キーを更に取得し、前記アドレステーブルを、前記取得した復号化キーによって復号化する復号化処理手段を更に備える。
【００６０】
この態様によれば、より応用性の高いアプリケーションを含んだ記録情報を、該記録情報の機密性及び秘匿性を高めつつ、例えばハイブリッド型の情報記録媒体に対して、マスキング及びマスキングの解除を行うことが可能となる。
【００６１】
（情報記録方法の実施形態）
本発明の情報記録方法に係る実施形態は、上述した本発明の情報記録媒体に係る実施形態（但し、その各種態様を含む）に、前記記録情報を記録する記録手段を備えた情報記録装置における情報記録方法であって、前記マスキング領域の第１部分において、前記第１記録ピットを、前記記録用レーザ光の照射によって記録するように前記記録手段を制御するマスキング処理工程と、前記第１記録ピットを、前記消去用レーザ光の照射によって消去するように前記記録手段を制御するマスキング解除処理工程とを備える。
【００６２】
本発明の情報記録方法に係る実施形態によれば、上述した本発明の情報記録装置に係る実施形態が有する各種利益を享受することが可能となる。
【００６３】
尚、上述した本発明の情報記録装置に係る実施形態が有する各種態様に対応して、本発明の情報記録方法に係る実施形態も各種態様を採ることが可能である。
【００６４】
（コンピュータプログラムの実施形態）
本発明のコンピュータプログラムに係る実施形態は、上述した本発明の情報記録装置に係る実施形態（但し、その各種態様を含む）に備えられたコンピュータを制御する記録制御用のコンピュータプログラムであって、該コンピュータを、前記記録手段、前記マスキング処理手段、及び、前記マスキング解除処理手段のうち少なくとも一部として機能させる。
【００６５】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００６６】
尚、上述した本発明の情報記録装置に係る実施形態における各種態様に対応して、本発明のコンピュータプログラムに係る各実施形態も各種態様を採ることが可能である。
【００６７】
本実施形態のこのような作用及び他の利得は次に説明する実施例から明らかにされる。
【００６８】
以上説明したように、本発明の情報記録媒体に係る第１及び第２実施形態は、少なくとも記録層と、マスキング領域を含む再生専用領域とを備える。また、本発明の情報記録装置又は方法に係る実施形態は、記録手段と、マスキング処理手段と、マスキング解除処理手段と、を、又は、マスキング処理工程と、マスキング解除処理工程とを備える。従って、例えば、コンテンツ等の記録情報の機密性及び秘匿性を高めることが可能であり、且つ、比較的低コストで製造することが可能となる。
【実施例】
【００６９】
（情報記録媒体に係る第１実施例）
次に図１から図４を参照して、本発明の情報記録媒体の第１実施例に係るハイブリッド型光ディスクにおける記録領域の構造及び物理的特性について、詳細に説明する。
【００７０】
先ず図１を参照して、本実施例に係る光ディスクの基本構造について説明する。ここに、図１は、本発明の情報記録媒体の第１実施例に係るハイブリッド型光ディスクの基本構造を示し、上側部分は複数の記録領域を有する光ディスクの概略平面図であり、これに対応付けられる下側部分は、その径方向における記録領域構造の図式的概念図である。
【００７１】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。特に、リードインエリア１０１においては、本願発明に係る「制御情報記録領域」の一例を構成するコントロールデータゾーンＣＤＺが備えられている。このコントロールデータゾーンＣＤＺには、本願発明に係る「制御情報」、「第１フラグ情報」、及び「アドレステーブル」に加えて、後述される「マスキングの解除回数を示す情報」が記録可能に構成されている。
【００７２】
そして、各記録領域には、例えば、センターホール１を中心にスパイラル状或いは同心円状に、例えば、グルーブトラック及びランドトラック等のトラック１０が交互に設けられている。このトラック１０上には、データがＥＣＣブロックという単位で分割されて記録される。ＥＣＣブロックは、記録情報がエラー訂正可能なプリフォーマットアドレスによるデータ管理単位である。尚、本発明の光ディスク１００は、１層構造でなくてもよい。片面２層（即ち、デュアルレイヤー）又は両面（即ち、ダブルサイド）であってもよい。
【００７３】
本実施例に係る光ディスクは、物理的特性の観点から分類した２種類の記録領域、より詳細には、再生専用領域１５０及び記録可能領域１６０を併せ持つハイブリッド型光ディスクとして構築されている。
【００７４】
再生専用領域１５０においては、記録情報（即ち、本願発明に係る「記録情報の少なくとも一部」）が、例えばエンボスピットとして記録されており、物理的に何度でも再生用レーザの照射による記録情報の再生が可能であるＲＯＭ型光ディスクとしての性質が有される。
【００７５】
他方で、記録可能領域１６０においては、記録情報（即ち、本願発明に係る「記録情報の少なくとも他部」の一例）が、例えば記録層の相変化による記録マークとして、記録用レーザ光の照射によって記録可能である。と同時に、消去用レーザ光の照射によって記録情報が消去される。更に消去後に再び記録用レーザの照射による記録情報の再記録が可能である。
【００７６】
尚、再生専用領域１５０と記録可能領域１６０との配置については、例えば、ピット毎、ＥＣＣブロック毎といった極めて細かい単位で混在させてもよいし、例えば、光ディスク１００の内周側寄りと外周側寄りとのなど極めて粗い単位で混在させてもよい。
【００７７】
以下に説明するように、映像情報や音楽情報等のコンテンツ情報を記録する領域は概ね再生専用領域１５０とされ、係るコンテンツ情報の再生を制御する情報を記録する領域の少なくとも一部分は記録可能領域１６０とされる。即ち、このような構成とすることで、比較的小さい領域を占める記録可能領域１６０のみに、例えば、暗号化情報等の情報を記録することが可能となる。但し、記録可能領域１６０が占める領域を広げることは任意であるようにしてもよい。尚、本実施例に係る「記録マーク」とは、再生専用領域１５０、及び、記録可能領域１６０において、記録情報（即ち、本発明に係る「記録情報の一部、他部、及び、残部」に加えて又は代えて、本発明に係る「第１及び第２ダミー情報」の一例）を担持する記録マーク（即ち、本発明に係る「第１及び第２記録ピット」の一例）であるようにしてもよい。その他に、「記録マーク」とは、再生専用領域１５０において、例えば、ＮＵＬＬデータ等の情報に意味を持たせないマスキングを行うためだけのダミーの記録マーク（即ち、本発明に係る「第１ダミー情報を担持する第１記録ピット」の他の一例）を含む趣旨である。加えて、本願発明に係る「ダミー情報」とは、マスキングを行うためだけの架空（ダミーdummy）の情報であるばかりでなく、何らかの規則等に従った意味のある情報であるようにしてもよい。
【００７８】
次に、図２から図４を参照して本発明の第１実施例に係る光ディスク１００における再生専用領域の一例を構成するリーダブルエンボスエリアＥＡ、及び、記録可能領域１６０の詳細な物理構造について説明する。図２は、本発明の情報記録媒体の第１実施例に係るハイブリッド型光ディスクの一部を、光ディスクの記録面側から見た図式的拡大斜視図である。図３は、本発明の情報記録媒体の第１実施例に係るハイブリッド型光ディスクを構成する再生専用領域の一部を、光ディスクの記録面側、一方及び他方の断面側から見た図式的拡大図である。図４は、本発明の情報記録媒体の第１実施例に係るハイブリッド型光ディスクを構成する記録可能領域の一部を、記録済み状態の場合と、未記録状態の場合とにおける、光ディスクの記録面側、一方及び他方の断面側から見た図式的拡大図である。
【００７９】
図２に示されるように、本実施例に係る光ディスク１００は、基板３２と、基板３２上に積層された上に、記録層３０、反射層３１及び保護層３３とを備えて構成されている。尚、これらの層の他、記録層３０の上部や下部に誘電体層等が配置されてもよいし、接着層等から構成される保護層３３の下層側にカバー基板等が貼り付けられてもよい。
【００８０】
基板３２には、その表面全域（図２中、該基板３２の下側の表面全域）に、グルーブトラックＧ及びランドトラックＬがエンボス加工等により形成されている。リーダブルエンボスエリアＥＡ内におけるグルーブトラックＧ上には、エンボスピットＥＰ及びエンボススペースＥＳがエンボス加工により形成されている。他方で、記録可能領域１６０内におけるグルーブトラックＧ上には、記録マーク２０が記録層３０に形成されている。記録マーク２０は、記録用レーザ光を照射することで、相変化によるピットとして構成されている。反射層３１は、エンボス加工された基板３２に成膜された記録層３０上に直接又は不図示の誘電体層或いは絶縁膜を介して成膜された、例えばＡｌ（アルミニウム）膜等である。
【００８１】
光ディスク１００は、リーダブルエンボスエリアＥＡについては、記録層３０の存在とは無関係にエンボスピットＥＰを備えたＲＯＭ型ディスクの一種として構成されている。具体的には、ポリカーボネート製の基板３２にはレーザ光等のビームを誘導するためのガイド用トラックとしてのグルーブトラックＧが形成されている。尚、この基板３２において、隣り合ったグルーブトラックＧとグルーブトラックＧとの間の領域をランドトラックＬと呼ぶ。グルーブトラックＧ及びランドトラックＬとの呼び名は、ベースとしての基板３２から見て凹部をグルーブトラックＧと呼び、凸部をランドトラックＬと呼んでいることを付記しておく。即ち、光ピックアップの側から見ると、グルーブ（溝）が凸状部に相当し、ランド（丘）が凹状部に相当する。（詳細には、エンボスピットＥＰ、反射層３１、基板３２、及び、保護層３３については、図３に示された、記録面側、一方の断面側、及び、他方の断面側から見た図式的拡大図を参照）。尚、このリーダブルエンボスエリアＥＡにおいては、後述される情報記録再生装置による再生及び記録制御を行なうためのアンリーダブルエンボスが含まれていてもよい。
【００８２】
他方、光ディスク１００は、記録可能領域１６０については、例えば、相変化層等により構成された記録層３０を備えた相変化型ディスクの一種として構成されている。この記録層３０の一部に記録マーク２０が形成されることで、データ（記録情報）が記録される。より詳細には、反射率の大きい結晶状態の記録層３０にレーザビームが照射され、部分的に記録層３０が融解されると共に、急速に冷やされる。このことにより、記録層３０が部分的にアモルファス状態にされることで、反射率を小さくさせることができる。このようにアモルファス状態にされた記録層３０の一部に記録マーク２０が形成される。（詳細には、記録マーク２０、記録層（アモルファス状態）３０、基板３２、及び、保護層３３については、図４の右側に示された、記録面側、一方の断面側、及び、他方の断面側から見た図式的拡大図を参照）。他方、アモルファス状態の記録層３０にレーザビームが照射され、部分的に記録層３０が融解されると共に、ゆっくりと冷やされる。このことにより、記録層３０が結晶状態に戻されることで、反射率を大きく戻すことができる。即ち、データ（記録情報）が消去可能となる。（詳細には、記録層（結晶状態）３０、基板３２、及び、保護層３３については、図４の左側に示された、記録面側、一方の断面側、及び、他方の断面側から見た図式的拡大図を参照）。
【００８３】
このように本実施例に係る光ディスク１００は、記録可能領域１６０については相変化型ディスクの一種として構成され、且つ、再生専用領域の一例であるリーダブルエンボスエリアＥＡについてはＲＯＭ型ディスクの一種として構成され、全体としてハイブリッド型ディスクとして構成されている。
【００８４】
尚、本実施例では、リーダブルエンボスエリアＥＡにも、記録可能領域１６０と同一の記録層３０に形成されると共に、記録可能領域１６０と同一の記録膜が蒸着されている。このように記録層３０をリーダブルエンボスエリアＥＡにも形成するので、基板３２の表面全域に記録層３０を成膜すれば、その後の部分的な記録層３０の除去や剥離等を行う必要もないので、製造上便利である。
【００８５】
特に、図２においては便宜上図示していないが、光ディスク１００においては、好ましくは、グルーブトラックＧをディスクの回転速度に対応する周波数でウォブリングさせている。このウォブリングされたグルーブトラックＧは、後述されるランドプリピットと同様に、光ディスク１００を出荷する前に予め形成されるものである。そして、光ディスク１００に記録情報、即ち、プリ情報以外の本来記録するべき画像情報等の情報を記録する際には、後述される情報記録再生装置によってこのグルーブトラックＧのウォブリング周波数を抽出することにより光ディスク１００を所定の回転速度で回転制御するとよい。
【００８６】
また特に、ランドトラックＬにはプリ情報に対応する図示しないランドプリピットが形成されていてもよい。このランドプリピットは一般に光ディスク１００を出荷する前に予め形成されているものである。また、このランドプリピットを検出することにより予めプリ情報を取得し、それに基づいて記録光としてのレーザ光の最適出力等が設定されると共に、記録情報を記録すべき光ディスク１００上の位置を示すアドレス情報等が取得され、このアドレス情報に基づいて記録情報が対応する記録位置に記録される。
【００８７】
（マスキング及びマスキングの解除の原理）
次に、図５及び図６を参照して、本発明の情報記録媒体の本実施例に係るハイブリッド型光ディスクを構成する再生専用領域に含まれるマスキング領域の物理的構造、各種特性、並びに、マスキング及びマスキングの解除の原理について説明する。ここに、図５は、本発明の情報記録媒体の第１実施例に係るハイブリッド型光ディスクを構成する再生専用領域に含まれるマスキング領域の一部を、マスキングされた状態と、マスキングが解除された状態とにおける、光ディスクの記録面側、断面側から見た図式的拡大図である。図６は、本発明の情報記録媒体の第１実施例に係るハイブリッド型光ディスクを構成する再生専用領域に含まれるマスキング領域の一部を、マスキングされた状態と、マスキングが解除された状態とにおける、ピット列と、復調前のデータ信号との関係を図式的に示した模式図である。
【００８８】
図５の左側の平面図において示されるように、マスキングがされた状態においては、再生専用領域に含まれるマスキング領域１５０ａの一部においては、エンボスピットＥＰの間に記録マーク２０ａ（即ち、本発明に係る「第１ダミー情報を担持する第１記録ピット」の一例）が、記録用レーザ光の照射によって記録されている。よって、エンボスピットの形成によって記録されている記録情報が再生不可能となる、言い換えると、記録情報がマスキングされる（隠ぺいされる）ことが可能となる。詳細には、エンボスピットＥＰが間欠的に形成されることによって、記録情報が記録されているのも関わらず、記録マーク２０ａがエンボスピットの間欠、即ち、エンボススペースに同期して記録されている。このため、例えば、チャネルデータ等の記録情報は、「０００００００」を示し、記録情報はマスキング（隠ぺい）されている。より詳細には、図６の上側において示されるように、例えば、チャネルデータ等の記録情報を担持するピット列においては、記録マーク２０ａが、エンボスピットＥＰの間欠であるエンボススペースと、殆ど又は完全に同期して記録されることによって、本来、エンボスピットＥＰによって記録されている記録情報を正常に再生することが不可能となる。尚、このマスキングがされた状態における復調前のデータ信号の波形２０Ｍと、後述されるマスキングが解除された状態における復調前のデータ信号の波形２０Ｅと比較によって、記録情報がマスキングされることが分かる。
【００８９】
他方、図５の右側の平面図において示されるように、マスキングが解除された状態においては、再生専用領域に含まれるマスキング領域の一部においては、エンボスピットＥＰの間に記録されていた記録マーク２０ａが、例えば、ＤＣによる消去パワーを保持する消去用レーザ光の照射によって消去されている。よって、エンボスピットの形成によって記録されている記録情報が再生可能となる、言い換えると、記録情報のマスキングが解除される（隠ぺいが解除される）ことが可能となる。詳細には、エンボスピットの間欠、即ち、エンボススペースに同期して記録されていた記録マーク２０ａが消去され、間欠的に形成されているエンボスピットＥＰが、顕著に現れる、謂わば、浮かび上がることによって、記録情報の再生が可能となる。従って、例えば、チャネルデータ等の記録情報は、例えば、ＮＲＺＩ（Non Return to Zero Inverted）の変調方式の下で、「１０１０１００」を示し、記録情報のマスキングが解除される（隠ぺいが解除される）。より詳細には、図６の下側において示されるように、例えば、チャネルデータ等の記録情報を担持するピット列においては、エンボスピットＥＰの間欠であるエンボススペースと、殆ど又は完全に同期して記録されていた記録マーク２０ａが、消去されることによって、本来、エンボスピットＥＰによって記録されている記録情報を正常に再生することが可能となる。尚、このマスキングが解除された状態における復調前のデータ信号の波形２０Ｅと、前述したマスキングがされた状態における復調前のデータ信号の波形２０Ｍとの比較によって、記録情報のマスキングが解除されたことが分かる。
【００９０】
以上より、本実施例に係る光ディスクの再生専用領域に含まれるマスキング領域に対して、後述される情報記録装置の位置制御に基づいて、記録用又は消去用レーザ光の照射を行うだけで、低コストで、記録情報の再生に制限を掛けることが可能となる。
【００９１】
また、前述のようにマスキングされた記録情報が、例えば、記録機器におけるチャネルデータをそのままの単位で読み出され、即ち、ＲＡＷモードによって読み出され、例えば、ＤＶＤ−ＲＷ等の記録型光ディスクへ、ビット単位の物理的なコピーが行われた場合、記録マーク２０ａを除く、エンボスピットＥＰに記録された記録情報だけを取捨選択的にコピーすることはできない。よって、このようにコピーが行われた記録型情報記録媒体が正常に再生されることは殆ど又は完全にないと言える。
【００９２】
以上の結果より、本実施例に係る光ディスクによれば、例えば、コンテンツ等の記録情報の機密性及び秘匿性を高めることが可能であり、且つ、比較的低コストで製造することが可能となる。詳細には、記録情報として映画等の情報量の大きいコンテンツをスタンパによって、一挙に再生専用領域に記録できるので、情報記録媒体１枚当りの作成時間を短縮させ、生産性を向上させることが可能である。
【００９３】
（１）情報記録装置に係る第１実施例
（１−１）基本構成
次に、図７を参照して、本発明の情報記録装置に係る第１実施例における情報記録再生装置３００及び、ホストコンピュータ４００の基本構成について説明する。特に、本実施例は、本発明に係る情報記録装置を光ディスク用の情報記録再生装置に適用した例である。ここに、図７は、本発明の情報記録装置に係る第１実施例における情報記録再生装置及び、ホストコンピュータの基本構成を示したブロック図である。尚、情報記録再生装置３００は、光ディスク１００に記録データを記録する機能と、光ディスク１００に記録された記録データを再生する機能とを備える。
【００９４】
図７を参照して情報記録再生装置３００の内部構成を説明する。情報記録再生装置３００は、ドライブ用のＣＰＵ（Central Processing Unit）３５４の制御下で、光ディスク１００に情報を記録すると共に、光ディスク１００に記録された情報を読み取る装置である。
【００９５】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作制御手段３０７、操作ボタン３１０、表示パネル３１１、及び、データ入出力制御手段３０８を備えて構成される。
【００９６】
特に、情報記録再生装置３００と、ホストコンピュータ（以下、適宜ホストと称す）４００を同一筐体内に収めることにより、或いは、ＣＰＵ（ドライブ制御手段）３５４、データ入出力制御手段３０６、及びバス３５７によって、本発明に係る通信手段が構成されていてもよい。
【００９７】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。
【００９８】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【００９９】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Control）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」及び「取得手段」の一例を構成する。
【０１００】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。尚、ホスト側のメモリ３６０における構成等も、メモリ３５５と概ね同様である。
【０１０１】
ＣＰＵ（ドライブ制御手段）３５４は、信号記録再生手段３５３及びメモリ３５５と、バス３５７を介して接続され、各種制御手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、本発明に係る「マスキング処理手段」、「マスキング解除処理手段」、及び、「識別手段」の一例を構成する。
【０１０２】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインターフェースを介して接続されている外部のホストコンピュータ４００から発行されるドライブ制御命令は、データ入出力制御手段３０８から３０６を介してＣＰＵ３５４に伝達される。また、記録再生データも同様にデータ入出力制御手段３０６から３０８を介して、ホストコンピュータ４００とやり取りされる。
【０１０３】
特に、データ入出力制御手段３０８は、本発明に係る「マスキング領域」の位置情報を示す「アドレステーブル」の一例であるアドレス情報を、例えば、外部ネットワークから取得し、例えば、メモリ３６０等に格納するように構成してもよい。
【０１０４】
操作制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストに送信するように要求するコマンドを送信することができる。これにより、記録中や再生中といった情報記録再生装置３００の動作状態が把握できるためＣＰＵ３５９は、操作制御手段３０７を介して蛍光管やＬＣＤなどの表示パネル３１１に情報記録再生装置３００の動作状態を出力することができる。
【０１０５】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータのＣＰＵにより実行されるライティングソフトウェア等のアプリケーションが、ディスクドライブを制御する。尚、このライティングソフトウェアは、光ディスク上に記録され、読み出し可能な状態にされていてもよいし、ホストコンピュータのメモリ等の記憶装置において格納されていてもよい。
【０１０６】
（１−２）動作原理
次に図８から図１１を参照して、本発明の情報記録装置に係る第１実施例の情報記録再生装置によるマスキング処理、及び、マスキング解除処理について詳細に説明する。
【０１０７】
先ず、図８を参照して本発明の第１実施例に係る光ディスクの情報記録再生装置によるマスキング処理、及び、マスキング解除処理の全体の流れについて説明する。ここに、図８は、本発明の情報記録再生装置に係る第１実施例よるマスキング処理、及び、マスキング解除処理の全体の流れを示したフローチャートである。図９は、図８におけるサブルーチンであるデータアドレス変換の流れを示したフローチャートである。図１０は、図８におけるサブルーチンであるマスキング処理の流れを示したフローチャートである。図１１は、図８におけるサブルーチンであるマスキング解除処理の流れを示したフローチャートである。
【０１０８】
先ず、例えば、ＤＶＤ−ＲＷライタードライブ等の情報記録再生装置３００へ、例えばハイブリッド型光ディスクが挿入される（ステップＳ１０１）。尚、より詳細には、各種の制御及び管理情報等の取得が行われると共に、ＣＤ、ＤＶＤ−Ｖｉｄｅｏ、ＤＶＤ−ＲＯＭ、ＤＶＤ−Ｒ又はＤＶＤ−ＲＷ等の光ディスクの種類が判別されるように処理してもよい。
【０１０９】
次に、光ディスク、ホスト側のメモリ３６０、又は、外部ネットワーク等から、例えば、ホスト側のＣＰＵ３５９によって起動されたアプリケーションソフトウェアが起動される（ステップＳ１０２）。
【０１１０】
続いて、アプリケーションソフトウェアの各種プログラムに従って、マスキング処理又はマスキング解除処理を行うコンテンツデータが選択される（ステップＳ１０３）。より具体的には、例えば、ゲーム等のコンテンツにおいて、次のステージへ進むために、マスキングを解除したいコンテンツデータの識別番号は、「＃７番」等の指示コマンドが、アプリケーションソフトウェアからホストコンピュータ４００を介して、情報記録再生装置３００へ発行される。
【０１１１】
続いて、コンテンツデータと、このコンテンツデータに対応される光ディスク上でのアドレス（例えば、セクタ番号等）との変換処理が行われる（ステップＳ１０４）。
【０１１２】
詳細には、図９に示されるように、この変換処理は、先ず、光ディスクに記録されている、又は、外部ネットワークからダウンロードされるアドレステーブルが取得される（ステップＳ２０１）。次に、この取得されたアドレステーブルに基づいて光ディスク上でのアドレスが取得される（ステップＳ２０２）。より具体的には、マスキングを解除したい、上述した＃７番の識別番号であるコンテンツデータが記録されているアドレスが、光ディスク上の「03F1FF」から「03FFFF」であるという情報を取得することが可能となる。
【０１１３】
再び、図８に戻り、ＣＰＵ３５９の制御下で、変換処理により取得された、コンテンツデータに対応されるアドレスに対して、マスキング処理を行うのか、又はマスキングの解除処理を行うのかが判定される（ステップＳ１０５）。ここで、マスキング処理を行う場合（ステップＳ１０５：Ｙｅｓ）、マスキング処理が行われる（ステップＳ１０６）。
【０１１４】
詳細には、図１０に示されるように、マスキング処理は、先ず、光ピックアップ３５２が、ＣＰＵ３５９及び３５４によって指定された光ディスクの記録領域上のアドレスを検出し、そのアドレスの位置へ移動する（ステップＳ３０１）。次に、当該マスキング領域のエンボスピットの上へアプリケーションソフトウェアから指定されたデータパターンによって記録マーク２０ａの記録が開始される（ステップＳ３０２）。よって、エンボスピットの形成によって記録されているコンテンツデータがマスキングされた状態にし、再生が不可能となる。次に、記録動作と同時にアドレスが検出される（ステップＳ３０３）。次に、マスキング処理を行う記録領域の終了位置を示すアドレスが検出されたか否かが判定される（ステップＳ３０４）。ここで、終了位置を示すアドレスが検出された場合（ステップＳ３０４：Ｙｅｓ）、記録マーク２０ａの記録が停止され、一連のマスキング処理は終了される。他方、ステップＳ３０４の判定の結果、終了位置を示すアドレスが検出されない場合（ステップＳ３０４：Ｎｏ）、引き続き、記録動作と同時にアドレスが検出される（ステップＳ３０３）。
【０１１５】
再び、図８に戻り、他方、ステップＳ１０５の判定の結果、マスキング処理を行わない場合、（ステップＳ１０５：Ｎｏ）、マスキングの解除処理が行われる（ステップＳ１０７）。
【０１１６】
詳細には、図１１に示されるように、マスキングの解除処理は、先ず、光ピックアップ３５２が、ＣＰＵ３５９及び３５４によって指定された光ディスクの記録領域上のアドレスを検出しつつ、そのアドレスの位置へ向かって移動する（ステップＳ４０１）。次に、移動しつつ、現在光ピックアップ３５２が位置するアドレスを検出し続ける（ステップＳ４０２）。次に、マスキングの解除を行いたい記録領域の開始位置を示すアドレスが検出された否かが判定される（ステップＳ４０３）。ここで、マスキングの解除を行いたい記録領域の開始位置を示すアドレスが検出された場合（ステップＳ４０３：Ｙｅｓ）、エンボスピットを含むマスキング領域の上へ、消去用レーザ光が照射され、マスキング領域に記録されている記録マーク２０ａの消去が開始される（ステップＳ４０４）。よって、エンボスピットの形成によって記録されているコンテンツデータのマスキングが解除された状態にし、再生が可能となる。尚、マスキングの解除と同時に、又は、解除後に、例えば、ゲーム等のコンテンツデータの再生を行うように構成してもよい。次に、消去動作と同時にアドレスが検出される（ステップＳ４０５）。次に、マスキングの解除処理を行う記録領域の終了位置を示すアドレスが検出されたか否かが判定される（ステップＳ４０６）。ここで、終了位置を示すアドレスが検出された場合（ステップＳ４０６：Ｙｅｓ）、記録マーク２０ａの消去が停止され、一連のマスキングの解除処理は終了される。他方、ステップＳ４０６の判定の結果、終了位置を示すアドレスが検出されない場合（ステップＳ４０６：Ｎｏ）、引き続き、消去動作と同時にアドレスが検出される（ステップＳ４０５）。また、他方、ステップＳ４０３の判定の結果、マスキングの解除を行いたい記録領域の開始位置を示すアドレスが検出されない場合（ステップＳ４０３：Ｎｏ）、引き続き、光ピックアップ３５２が、ＣＰＵ３５９及び３５４によって指定された光ディスクの記録領域上のアドレスを検出しつつ、そのアドレスの位置へ向かって移動する（ステップＳ４０１）。
【０１１７】
再び、図８に戻り、例えば、ユーザ等の操作により、又は、プログラムの終了コマンド等により、アプリケーションソフトウェアが終了されるか否かが判定される（ステップＳ１０８）。ここで、アプリケーションソフトウェアが終了される場合（ステップＳ１０８：Ｙｅｓ）、一連の情報記録再生装置による動作は終了される。他方、ステップＳ１０８の判定の結果、アプリケーションソフトウェアが終了されない場合（ステップＳ１０８：Ｎｏ）、引き続き、アプリケーションソフトウェアの各種プログラムに従って、マスキング処理又はマスキング解除処理を行うコンテンツデータが選択される（ステップＳ１０３）。
【０１１８】
（２）情報記録媒体及び情報記録装置に係る第２実施例
（２−１）基本構成と動作原理
次に、図１２を参照して、本発明の情報記録媒体及び情報記録装置に係る第２実施例について詳細に説明する。特に、第２実施例に係る情報記録媒体においては、コントロールデータゾーンにおいて、マスキングの解除回数を示す情報が記録されている。また、第２実施例に係る情報記録装置（情報記録再生装置）の構成は、前述した図７において説明した第１実施例の構成と概ね同様である。
【０１１９】
先ず、図１２を参照して本発明の第２実施例に係る情報記録再生装置による、読み出し（再生）回数の制限を伴ったマスキング処理、及びマスキング解除処理の流れについて説明する。ここに、図１２は、本発明の情報記録装置の第２実施例に係る情報記録再生装置によるマスキング処理、及びマスキング解除処理の全体の流れを示したフローチャートである。尚、前述した図８において説明した第１実施例に係る各種ステップと同様のステップには、同様のステップ番号を付し、それらの説明は適宜省略する。
【０１２０】
先ず、前述したステップＳ１０１からステップＳ１０３までの処理が行われる。
【０１２１】
特に、第２実施例では、続いて、例えば、ＣＰＵ３５９及び３５４の制御下で、マスキングの解除回数「Ｘ」を示す情報が、例えば、コントロ−ルデータゾーンＣＤＺから取得され、このマスキングの解除回数「Ｘ」が、所定回数「ｎ」以下であるか否かが判定される（ステップＳ５０１）。ここに、所定回数「ｎ」とは、ユーザによるコンテンツデータの再生を許容する、例えば１又は２回等の回数のことである。ここで、このマスキングの解除回数「Ｘ」が、所定回数「ｎ」以下である場合（ステップＳ５０１：Ｙｅｓ）、前述したデータアドレス変換が行われる（ステップＳ１０４）。次に、前述したマスキングの解除が行われる（ステップＳ１０７）。
【０１２２】
続いて、ユーザによって、マスキングが解除されたコンテンツデータの再生が行われる（ステップＳ５０２）。
【０１２３】
続いて、一連のコンテンツデータの再生が終了したか否かが判定される（ステップＳ１０８）。ここで、再生が終了した場合、ステップＳ１０７でマスキングの解除を行った記録領域の開始位置から終了位置において、再び、マスキング処理を行う（ステップＳ１０６）。
【０１２４】
続いて、ＣＰＵ３５９及び３５４の制御下で、マスキングの解除回数「Ｘ」が「１」だけインクリメント（増加）され、マスキングの解除回数「Ｘ」を示す情報が、例えば、コントロ−ルデータゾーンＣＤＺにおいて更新される（ステップＳ５０３）。
【０１２５】
他方、ステップＳ５０１の判定の結果、このマスキングの解除回数「Ｘ」が、所定回数「ｎ」以下でない、即ち、所定回数より大きい場合（ステップＳ５０１：Ｎｏ）、コンテンツデータの再生は、これ以上許容されていないので、光ディスクは排出される（ステップＳ５０４）。
【０１２６】
以上の結果、第２実施例においては、マスキングの解除回数を判定することによって、ユーザの再生回数を的確に制限することが可能である。
【０１２７】
（３）  情報記録媒体に係る第３実施例
次に、図１３及び図１４を参照して、本発明の情報記録媒体に係る第３実施例について検討を加える。ここに、図１３は、本発明の情報記録媒体の第３実施例に対するマスキング処理、及びマスキング解除処理を概念的に示した模式図である。図１４は、比較例に係る情報記録媒体の問題点を概念的に示した模式図である。
【０１２８】
図１３に示されるように、マスキング処理以前の状態を示した「状態Ａ」において、再生専用領域１５０のうち少なくとも一部は、例えば、フラグ等の再生を禁止するための情報（以下、適宜「再生禁止情報」と称す）が記録されている禁止領域１５０ｂを含むように構成されている。ここに、「再生禁止情報」とは、仮に、該再生禁止情報を読み取ることができた場合、該光ディスク１００が正規の手順でマスキングが解除されていないことを示すフラグ等の情報である。
【０１２９】
先ず、少なくともこの禁止領域１５０ｂがマスキングされた状態でユーザに、配布される。尚、図１３中「状態Ｂ」を参照。
【０１３０】
そして、情報記録再生装置によって、正規の手順でマスキングが解除された場合、この禁止領域１５０ｂにおいては、マスキングされた状態が維持される。尚、図１３中の「状態Ｃ」を参照。よって、この再生禁止情報は、読み取ることができないので、該光ディスク１００に記録されているコンテンツデータの再生は可能である。
【０１３１】
他方、マスキングが正規の手順に基づかないで解除された場合、即ち、記録領域の全体に対して、マスキングが解除された場合（所謂、全面消去が行われた場合）、この再生禁止情報を、読み取ることができる。尚、図１３中の「状態Ｄ」を参照。よって、該光ディスク１００において、正規の手順でマスキングが解除されていないことが情報記録再生装置によって識別することが可能である。
【０１３２】
尚、図１３に示された第３実施例においては、再生専用領域１５０を備えて構成されているＤＶＤ−ＲＯＭ等の再生専用型光ディスクについて説明したが、例えばハイブリッド型光ディスクに適用可能である。
【０１３３】
仮に、図１４に示されるように、禁止領域１５０ｂが存在しないハイブリッド型光ディスク（図１４中の状態Ａ’を参照）において、マスキングが正規の手順に基づかないで解除された場合、即ち、記録領域の全体に対して、マスキングが解除された場合（所謂、全面消去が行われた場合：図１４中の状態Ｃ’を参照）、記録可能領域１６０に記録されている制御情報までも消去されてしまう。よって、マスキング及びマスキングの解除によって再生を制限したいコンテンツデータ以外の記録情報までも一律に再生不可能としてしまう。他方、マスキングが正規の手順で解除された場合（図１４中の状態Ｂ’を参照）、例えばコントロールデータゾーン等の記録可能領域１６０に記録されている制御情報は保護され、再生専用領域１５０に記録されているコンテンツデータは再生可能であるのは言うまでもない。
【０１３４】
これに対して、第３実施例によれば、制御情報は、再生専用領域１５０に記録しておくことが可能であるので、所謂、全面消去が行なわれた場合でも、ユーザに再生の制限を掛けていないコンテンツデータまでも再生不可能となることはない。言い換えると、ユーザに再生の許可を与えているコンテンツデータの再生は常に可能である。以上より、第３実施例によれば、より適切なコンテンツデータの再生制限を実現可能である。
【０１３５】
尚、上述の実施例では、情報記録媒体の一例として、記録情報の再生を行うユーザを容易に制限し、記録情報の機密性及び秘匿性を高めることが可能であると共に、再生回数が制限された光ディスクについて説明した。と共に、情報記録装置の一例として、該光ディスクに係るレコーダ又はプレーヤについて説明した。しかし、本発明は、このような光ディスク並びにそのようなレコーダ又はプレーヤに限られるものではなく、他の高密度記録或いは高転送レート対応の各種情報記録媒体並びにそのレコーダ又はプレーヤにも適用可能である。
【０１３６】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに、記録制御用のコンピュータプログラムもまた本発明の技術的範囲に含まれるものである。
【図面の簡単な説明】
【０１３７】
【図１】本発明の情報記録媒体の第１実施例に係るハイブリッド型光ディスクの基本構造を示し、上側部分は複数の記録領域を有する光ディスクの概略平面図であり、これに対応付けられる下側部分は、その径方向における記録領域構造の図式的概念図である。
【図２】本発明の情報記録媒体の第１実施例に係るハイブリッド型光ディスクの一部を、光ディスクの記録面側から見た図式的拡大斜視図である。
【図３】本発明の情報記録媒体の第１実施例に係るハイブリッド型光ディスクを構成するＲＯＭエリアの一部を、光ディスクの記録面側、一方及び他方の断面側から見た図式的拡大図である。
【図４】本発明の情報記録媒体の第１実施例に係るハイブリッド型光ディスクを構成するＲＷエリアの一部を、記録済み状態の場合と、未記録状態の場合とにおける、光ディスクの記録面側、一方及び他方の断面側から見た図式的拡大図である。
【図５】本発明の情報記録媒体の第１実施例に係るハイブリッド型光ディスクを構成するＲＯＭエリアに含まれるマスキングエリアの一部を、マスキングされた状態と、マスキングが解除された状態とにおける、光ディスクの記録面側、断面側から見た図式的拡大図である。
【図６】本発明の情報記録媒体の第１実施例に係るハイブリッド型光ディスクを構成するＲＯＭエリアに含まれるマスキングエリアの一部を、マスキングされた状態と、マスキングが解除された状態とにおける、ピット列と、復調前のデータ信号との関係を図式的に示した模式図である。
【図７】本発明の情報記録装置に係る第１実施例における情報記録再生装置、及び、ホストコンピュータの基本構成を示したブロック図である。
【図８】本発明の情報記録装置に係る第１実施例よるマスキング処理、及び、マスキング解除処理の全体の流れを示したフローチャートである。
【図９】図８におけるサブルーチンであるデータアドレス変換の流れを示したフローチャートである。
【図１０】図８におけるサブルーチンであるマスキング処理の流れを示したフローチャートである。
【図１１】図８におけるサブルーチンであるマスキング解除処理の流れを示したフローチャートである。
【図１２】本発明の情報記録装置の第２実施例に係る情報記録再生装置によるマスキング処理、及びマスキング解除処理の全体の流れを示したフローチャートである。
【図１３】本発明の情報記録媒体の第３実施例におけるマスキング処理、及びマスキング解除処理を概念的に示した模式図である。
【図１４】比較例に係る情報記録媒体の問題点を概念的に示した模式図である。
【符号の説明】
【０１３８】
１…センターホール、１０…トラック、１１…セクタ、２０（２０ａ）…記録マーク、３０…記録層、３１…反射層、３２…基板、３３…保護層、１００…光ディスク、１０１…リードインエリア、１０２…データゾーン、１０３…リードアウトエリア、１５０…再生専用領域、１５０ａ…マスキング領域、１５０ｂ…禁止領域、１６０…記録可能領域、３００…情報記録再生装置、３０６（３０８）…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５（３６０）…メモリ、３５９…ＣＰＵ（ホスト用）、４００…ホストコンピュータ、ＬＢ…レーザ光、Ｇ…グルーブトラック、Ｌ…ランドトラック、ＥＰ…エンボスピット、ＥＳ…エンボススペース、ＥＡ…リーダブルエンボスエリア
【図１】
2006120248.tif 000003
【図２】
2006120248.tif 000004
【図３】
2006120248.tif 000005
【図４】
2006120248.tif 000006
【図５】
2006120248.tif 000007
【図６】
2006120248.tif 000008
【図７】
2006120248.tif 000009
【図８】
2006120248.tif 000010
【図９】
2006120248.tif 000011
【図１０】
2006120248.tif 000012
【図１１】
2006120248.tif 000013
【図１２】
2006120248.tif 000014
【図１３】
2006120248.tif 000015
【図１４】
2006120248.tif 000016